(57)【要約】      （修正有）【課題】１．  １本のグラウンドアンカーの中に、異なる自由長の引張材をもつグラウンドアンカー引張材すべての同時緊張をして、引張材各々に均等な分担荷重を導入する緊張方法。２．  グラウンドアンカー引張材の総伸び量よりも小さい、油圧ジャッキのロッドのストローク伸び量で、予定荷重までの緊張ができる緊張方法。【解決手段】グラウンドアンカーの引張材をくさびで固定できる治具を油圧ジャッキに接合し、自由長が異なるアンカー引張材ごとに、計算された伸び量分だけ油圧ジャッキで緊張をし、引張材を治具に固定する。次に、油圧ジャッキのロッドのストロークをゼロ近くまで縮め、油圧ジャッキのゆるんだくさびを挿入し直す。以後の緊張は、すべての引張材を予定荷重まで同時緊張をする。油圧ジャッキのロッドのストロークが少し伸びた時点で、引張材を固定している治具のくさびはゆるんでくるので、治具を油圧ジャッキから取り外すことができる。【選択図】    図１
2004270413.tif 000002
【特許請求の範囲】
【請求項１】
油圧ジャッキのロッドがある側に接合して、プリングヘッドとくさびを使い、油圧ジャッキのシリンダーを反力にして、油圧ジャッキで緊張されたグラウンドアンカーの引張材を、緊張力を保持したまま固定することができる治具。
【請求項２】
異なる自由長の引張材をもつグラウンドアンカーを同時緊張するときに、自由長が異なる引張材を、均等な分担荷重まで個別に緊張したときの各々引張材の伸び量を計算し、各々引張材の伸び量と引張材の最小伸び量との差の値に一定の値を加えた伸び量分だけ、各々の引張材を緊張して、緊張力を保持したまま【請求項１】の治具に固定し、次に、油圧ジャッキの荷重を下げてロッドのストロークを縮め、ゆるんだ油圧ジャッキのくさびを油圧ジャッキのプリングヘッドに挿入し直し、以後の緊張はすべての引張材を予定荷重まで同時緊張をする緊張方法。
【発明の詳細な説明】
【０００１】
【発明の属する技術分野】
本発明は、１本のグラウンドアンカーの中に異なる自由長の引張材をもつグラウンドアンカー引張材の緊張方法に関するものである。
【０００２】
【従来の技術】
１本のグラウンドアンカーの中に自由長が異なる引張材をもつグラウンドアンカーの引張材全部をある荷重まで緊張したときに、各々の引張材に均等な荷重が導入されるようにする方法として、先ず、最大自由長の引張材だけを、油圧ジャッキのプリングヘッドにくさびを挿入して、引張材が所定伸び量になるまで緊張をし、次に、次の自由長の引張材と最大自由長の引張材とを、所定伸び量になるまで一緒に緊張をする。同様に、その次の自由長の引張材にもくさびを挿入し、くさびが挿入されている引張材すべてを所定伸び量になるまで緊張をする、という緊張方法を続けることにより、自由長が異なる引張材すべてに必要な伸び量の差を付けた緊張を行い、以後の緊張は引張材全部の同時緊張をする。
【０００３】
【発明が解決しようとする課題】
最大自由長の引張材に、油圧ジャッキのプリングヘッドにくさびを挿入して所定伸び量の緊張をし、次に、次の自由長の引張材にもくさびを挿入し、最大自由長と次の自由長の引張材を一緒に、所定伸び量の緊張をする、ということを順次続け、最後は引張材全部の同時緊張をする、という上記の方法に代わる緊張方法を提案する。
【０００４】
従来の技術による緊張方法によると、油圧ジャッキのロッドのストローク量に関しては、最大自由長の緊張から始まって、各引張材の伸び量調整のための緊張が終わって、すべての引張材を同時緊張できる状態になるまでには、油圧ジャッキのかなりのロッドのストローク量を使ってしまっており、自由長が長いグラウンドアンカーの場合は、引張材の総伸び量に対して、油圧ジャッキのロッドの総ストローク量が不足した状態になってしまい、予定荷重までの緊張が不可能になったり、油圧ジャッキのロッドのストローク量をおぎなうために、２台の油圧ジャッキを連ねて緊張をする、というような煩わしい緊張方法をせざるをえないことがある。本発明は、引張材の総伸び量よりも少ない、油圧ジャッキのロッドのストローク量で、予定荷重までの緊張を可能にするものである。
【０００５】
【課題を解決するための手段】
油圧ジャッキのロッドがある側に、接合したり外したりすることが可能で、グラウンドアンカーの引張材をくさびで固定できる治具を取り付け、すべてのグラウンドアンカー引張材を自由長別に、それぞれ計算された所定伸び量だけ油圧ジャッキで緊張をし、緊張力を保持したまま引張材をくさびで治具に固定する。
【０００６】
次に、油圧ジャッキのロッドのストロークをゼロ近くまで縮め、ゆるんだ油圧ジャッキのくさびを油圧ジャッキのプリングヘッドに挿入し直す。以後の緊張は、すべての引張材を油圧ジャッキで同時緊張をする。油圧ジャッキのロッドのストロークが少し伸びた時点で、治具のくさびはゆるんでくるので、治具は油圧ジャッキから取り外す。
【０００７】
【作用】
引張材は自由長別に、それぞれ所定伸び量分だけ事前に緊張をしてあるので、すべての引張材の同時緊張をし、予定荷重まで緊張をしたときには、各々の引張材には均等な分担荷重が導入される。
【０００８】
自由長が異なる引張材すべてを同時緊張する時点では、油圧ジャッキのロッドのストローク量をゼロ近くまで縮めてから緊張を始めているので、引張材の総伸び量よりも少ない油圧ジャッキのロッドのストローク量で、予定荷重までの緊張をすることができる。
【０００９】
【実施の形態】
油圧ジャッキのロッドがある側に、図−１  のような治具を接合する。この治具にはプリングヘッドが付いており、くさびでグラウンドアンカーの引張材を固定することができる構造になっている。治具にある開口部から手を入れ、油圧ジャッキのプリンクヘッドにくさびを挿入し、油圧ジャッキの荷重を上げロッドのストロークが伸びると、治具のくさびはゆるんでくるので、治具は油圧ジャッキから取り外すことができる。
【００１０】
自由長が異なる引張材、例えば自由長が長い順に、引張材の長さがＬ１、Ｌ２、Ｌ３の引張材を同時に緊張したときに、以下の方法により均等な分担荷重が導入されるようにする。
各々の引張材に個別に、均等な分担荷重が導入されたときの引張材Ｌ１、Ｌ２、Ｌ３の伸び量を計算し、それをδ１、δ２、δ３とする。次に、引張材Ｌ１はδ１−δ３に一定の値δ０を加えた伸び量分だけ油圧ジャッキで緊張をし、緊張力を保持したまま、治具のプリングヘッドにくさびで固定する。Ｌ２の引張材はδ２−δ３に一定の値δ０を加えた伸び量分だけ油圧ジャッキで緊張をし、治具に固定する。Ｌ３の引張材はδ０の伸び量分だけ油圧ジャッキで緊張をし、治具に固定する。
【００１１】
δ０は油圧ジャッキのロッドのストロークをゼロ近くまで縮めたときに、油圧ジャッキのくさびがゆるんで、くさびを取り外しやすくするためと、先にすべての引張材を一定の伸び量分だけの緊張をしておき、後で行う緊張時の引張材の伸び量を小さくするための値である。
【００１２】
Ｌ１、Ｌ２、Ｌ３の引張り材を緊張し、治具に固定する方法には、次の２つの方法がある。
第１の方法は、油圧ジャッキのプリングヘッドにＬ１、Ｌ２、Ｌ３すべてにくさびを挿入し、Ｌ１、Ｌ２、Ｌ３のすべての引張材を一緒に緊張し、引張材の伸び量がδ１−δ３＋δ０になったら、緊張力を保持したまま、治具のプリングヘッドのＬ１の所だけにくさびを挿入して、引張材Ｌ１を治具に固定する。次に、油圧ジャッキの荷重を下げ、ロッドのストロークを縮め、引張材の伸び量がδ２−δ３＋δ０になったら、治具のプリングヘッドのＬ２の所だけにくさびを挿入して、引張材Ｌ２を治具に固定する。次に、油圧ジャッキの荷重を下げ、引張材の伸び量がδ０になったら、治具のプリングヘッドのＬ３の所にくさびを挿入して、引張材Ｌ３を治具に固定する。
これで、油圧ジャッキの荷重をさらに下げロッドのストロークを縮めても、各々の引張材は必要伸び量を保持したまま治具に固定されている。
【００１３】
第２の方法は、引張材の緊張と治具への固定を、自由長別に行う。油圧ジャッキのプリングヘッドに引張材Ｌ１だけにくさびを挿入して緊張をする。引張材の伸び量がδ１−δ３＋δ０になったら、治具のプリングヘッドの引張材Ｌ１だけにくさびを挿入して、引張材Ｌ１を治具に固定する。油圧ジャッキの荷重を下げロッドのストロークを縮めると、油圧ジャッキのプリングヘッドに挿入されていたくさびがゆるんでくるので、くさびを取り外す。引張材Ｌ２についても引張材Ｌ１と同様の方法で引張材Ｌ２だけを緊張し、伸び量がδ２−δ３＋δ０になったら引張材Ｌ２を治具に固定する。引張材Ｌ３についても同様に、伸び量がδ０だけの緊張をし、引張材を治具に固定する。
これで、油圧ジャッキの荷重をさらに下げロッドのストロークを縮めても、各々の引張材は必要伸び量を保持したまま治具に固定されている。
【００１４】
油圧ジャッキのロッドのストロークをゼロ近くまで縮めると、油圧ジャッキのプリングヘッドのすべてのくさびがゆるんでくるので、ゆるんだくさびを油圧ジャッキのプリングヘッドに挿入し直す。
次に、油圧ジャッキの荷重を上げ、すべての引張材の同時緊張を始める。油圧ジャッキのロッドのストロークが伸びてくると、引張材を固定している治具のプリングヘッドのくさびはゆるんでくるので、治具は油圧ジャッキから取り外す。
【００１５】
以後の緊張は、すべての引張材を予定荷重まで同時緊張をする。各々の引張材は、それぞれ必要伸び量だけ事前に緊張をしてあるので、後ですべての引張材を予定荷重まで同時緊張をしたときは、引張材Ｌ１、Ｌ２、Ｌ３には均等な分担荷重が導入される。
【００１６】
【発明の効果】
１本のグラウンドアンカーの中に、自由長が異なる引張材をもつグラウンドアンカー引張材を緊張するときに、事前に、自由長が異なる引張材ごとに、所定伸び量の緊張が行われているので、すべての引張材を油圧ジャッキで同時緊張をすることができ、予定荷重まで緊張をしたときには、自由長が異なる各々の引張材には均等な分担荷重が導入される。
【００１７】
油圧ジャッキのロッドのストローク伸び量に関しては、自由長が異なるための伸び量の調整のために、先に使われたロッドのストローク伸び量は、その後ゼロ近くまで縮めてから引張材の同時緊張を行うので、同時緊張を行うときには、油圧ジャッキのロッドのストロークはほとんど伸びていない状態から緊張を始めることになる。従って、引張材の総伸び量よりも小さい、油圧ジャッキのロッドのストローク伸び量で緊張をすることができ、油圧ジャッキのロッドのストローク伸び量に関しては、十分に余裕がある緊張作業をすることができる。
【００１８】
また、各々の引張材の伸び量の調整のときに使う一定伸び量δ０を大きくとれば、伸び量の調整が終わって引張材の同時緊張をするときには、既に大きな伸び量δ０分だけの緊張が行われており、予定荷重までの緊張に対して、油圧ジャッキのロッドのストローク伸び量は小さくてすむ。
【００１９】
従って、自由長が長く、総伸び量が大きい引張材を緊張する場合には、引張材の総伸び量よりも小さい、油圧ジャッキのロッドのストローク伸び量で、予定荷重までの緊張をすることができるので、自由長が長いグラウンドアンカー引張材の緊張には適した緊張方法といえる。
【図面の簡単な説明】
【図１】油圧ジャッキに本発明の治具を取り付けた縦断面図である。
【図２】本発明の治具の斜視図である。
【符号の説明】
１    油圧ジャッキ
２    油圧ジャッキのシリンダー
３    油圧ジャッキのロッド
４    油圧ジャッキのプリングヘッド
５    油圧ジャッキのプリングヘッドのくさび
６    本発明の治具
７    治具のプリングヘッド
８    治具のプリングヘッドのくさび
９    グラウンドアンカー引張材
１０    治具のプリングヘッドにある、くさびを挿入する穴
１１    治具にある、油圧ジャッキのくさび挿入・撤去の作業のための開口
【図１】
2004270413.tif 000003
【図２】
2004270413.tif 000004